(57)【特許請求の範囲】
【請求項１】
符号化パラメータ（ＰＡＲ）が要求されるオーディオフレームデータ（ＰＣＭＡ、ＰＣＭＢ、ＰＣＭＣ、ＰＣＭＤ）を符号化する方法であって、
−符号化処理の入力において、要求される符号化パラメータを前記オーディオデータのフレームと連結する（ＣＯＮＡ，ＣＯＮＢ，ＣＯＮＣ，ＣＯＮＤ）ステップと、
−時間領域サンプルを周波数領域係数へ変換するステップ（ＳＵＢＡ，ＳＵＢＢ，ＳＵＢＣ，ＳＵＢＤ）であって、前記変換のための入力にバッファ手段が割り当てられるところの、変換するステップと、
−前記時間領域サンプルからマスキング特性を計算するステップ（Ｐｓｙｃｈｏ１Ａ＿Ｌ，Ｐｓｙｃｈｏ１Ａ＿Ｒ，Ｐｓｙｃｈｏ１Ｂ＿Ｌ，Ｐｓｙｃｈｏ１Ｂ＿Ｒ，Ｐｓｙｃｈｏ１Ｃ＿Ｌ，Ｐｓｙｃｈｏ１Ｃ＿Ｒ，Ｐｓｙｃｈｏ１Ｄ＿Ｌ，Ｐｓｙｃｈｏ１Ｄ＿Ｒ，Ｐｓｙｃｈｏ２Ａ＿Ｌ，Ｐｓｙｃｈｏ２Ａ＿Ｒ，Ｐｓｙｃｈｏ２Ｂ＿Ｌ，Ｐｓｙｃｈｏ２Ｂ＿Ｒ，Ｐｓｙｃｈｏ２Ｃ＿Ｌ，Ｐｓｙｃｈｏ２Ｃ＿Ｒ，Ｐｓｙｃｈｏ２Ｄ＿Ｌ，Ｐｓｙｃｈｏ２Ｄ＿Ｒ）であって、前記マスキング特性の計算の入力にバッファ手段が割り当てられるところの、マスキング特性を計算するステップと、
−前記マスキングの計算の出力の制御の下に、係数のビット割り当てと量子化を行うステップ（Ｂａ１／Ｑ／Ｅ＿Ａ，Ｂａ１／Ｑ／Ｅ＿Ｂ，Ｂａ１／Ｑ／Ｅ＿Ｃ，Ｂａ１／Ｑ／Ｅ＿Ｄ）であって、前記ビット割り当てと量子化の入力にバッファ手段が割り当てられるところの、ビット割り当てと量子化を行うステップと、を有し、かつ
符号化の間、全ての前記バッファ手段が、オーディオフレームデータ（ＣＯＥ）および関連した符号化パラメータ（ＰＡＲ）を含むデータフィールドを有し、かつ前記変換するステップ、マスキング特性を計算するステップ、及び、前記ビット割り当てと量子化を行うステップでは、処理されるべきそれぞれの現在のフレームデータに連結した対応する符号化パラメータが、評価され、それによって、前記符号化パラメータが変化する際、前記符号化のリセットまたは無効な出力データ（ＰＣＭ＿ＯｕｔＡ、ＰＣＭ＿ＯｕｔＢ、ＰＣＭ＿ＯｕｔＣ、ＰＣＭ＿ＯｕｔＤ）の符号化を避ける、方法。
【請求項２】
符号化パラメータは、符号化される前記オーディオデータの前記フレームに連結される前に、異なるフォーマット（ＰＥＮＣＡ、ＰＥＮＣＢ、ＥＮＣＣ、ＰＥＮＣＤ）に変換される請求項１記載の方法。
【請求項３】
符号化パラメータ（ＰＡＲ）が要求されるオーディオフレームデータ（ＰＣＭＡ、ＰＣＭＢ、ＰＣＭＣ、ＰＣＭＤ）を符号化する装置であって、
−当該装置の入力に配置され、要求される符号化パラメータを前記オーディオデータのフレームと連結する（ＣＯＮＡ、ＣＯＮＢ、ＣＯＮＣ、ＣＯＮＤ）手段と、
−時間領域サンプルを周波数領域係数へ変換する手段（ＳＵＢＡ，ＳＵＢＢ，ＳＵＢＣ，ＳＵＢＤ）であって、該変換する手段自身の入力にバッファ手段が割り当てられるところの、変換する手段と、
−前記時間領域サンプルからマスキング特性を計算する手段（Ｐｓｙｃｈｏ１Ａ＿Ｌ，Ｐｓｙｃｈｏ１Ａ＿Ｒ，Ｐｓｙｃｈｏ１Ｂ＿Ｌ，Ｐｓｙｃｈｏ１Ｂ＿Ｒ，Ｐｓｙｃｈｏ１Ｃ＿Ｌ，Ｐｓｙｃｈｏ１Ｃ＿Ｒ，Ｐｓｙｃｈｏ１Ｄ＿Ｌ，Ｐｓｙｃｈｏ１Ｄ＿Ｒ，Ｐｓｙｃｈｏ２Ａ＿Ｌ，Ｐｓｙｃｈｏ２Ａ＿Ｒ，Ｐｓｙｃｈｏ２Ｂ＿Ｌ，Ｐｓｙｃｈｏ２Ｂ＿Ｒ，Ｐｓｙｃｈｏ２Ｃ＿Ｌ，Ｐｓｙｃｈｏ２Ｃ＿Ｒ，Ｐｓｙｃｈｏ２Ｄ＿Ｌ，Ｐｓｙｃｈｏ２Ｄ＿Ｒ）であって、該マスキング特性を計算する手段自身の入力にバッファ手段が割り当てられるところの、マスキング特性を計算する手段と、
−前記マスキング特性を計算する手段の出力の制御の下に、係数のビット割り当てと量子化を行う手段（Ｂａ１／Ｑ／Ｅ＿Ａ，Ｂａ１／Ｑ／Ｅ＿Ｂ，Ｂａ１／Ｑ／Ｅ＿Ｃ，Ｂａ１／Ｑ／Ｅ＿Ｄ）であって、該ビット割り当てと量子化を行う手段の入力にバッファ手段が割り当てられるところの、ビット割り当てと量子化を行う手段と、を有し、
符号化の間、全ての前記バッファ手段が、オーディオフレームデータ（ＣＯＥ）および関連した符号化パラメータ（ＰＡＲ）を含むデータフィールドを有し、かつ前記変換する手段、マスキング特性を計算する手段、及び、前記ビット割り当てと量子化を行う手段では、処理されるべきそれぞれの現在のフレームデータに連結した対応する符号化パラメータが、評価され、それによって、前記符号化パラメータが変化する際、当該装置のリセットまたは無効な出力データ（ＰＣＭ＿ＯｕｔＡ、ＰＣＭ＿ＯｕｔＢ、ＰＣＭ＿ＯｕｔＣ、ＰＣＭ＿ＯｕｔＤ）の符号化を避ける、装置。
【請求項４】
符号化パラメータは、符号化される前記オーディオデータの前記フレームに連結される前に、異なるフォーマット（ＰＥＮＣＡ，ＰＥＮＣＢ，ＰＥＮＣＣ，ＰＥＮＣＤ）に変換される請求項３記載の装置。
【発明の詳細な説明】
【０００１】
【発明の属する技術分野】
本発明は、オーディオ又は、ビデオフレームデータを符号化及び、復号する方法及び、装置に関する。
【０００２】
【従来の技術】
放送の目的のために、４ステレオチャネルのＭＰＥＧオーディオ符号化ボードが設計されている。そのような符号化器への要求は、異なった符号化パラメータで動作できることである。ＭＰＥＧは、例えば、様々なサンプリング周波数と全体のデータレートで動作できる。
【０００３】
通常の符号化動作中に、 1つ又はそれ以上のパラメータが変化したときに問題が発生する。これは、例えば、純粋な音声やニュースから、音楽へ、プログラムの現在の形式が変化したときに起こりうる。通常は、オーディオフレームは、符号化器の中で、例えば、第１段階で周波数係数への変換、次にビット割り当て、そして更なる段階で量子化と、続いて異なる段階で処理される。第１段階と平行して、心理聴覚マスキングが計算される。ビデオ符号化器は、以下の、ブロック差段階、ＤＣＴ（離散コサイン変換）、量子化、フィードバックループでの逆量子化、逆ＤＣＴ、出力がブロック差段階へ入力される動き補償補間段階を含む。量子化の出力は、ＶＬＣ（可変長符号化）符号化され、最終出力前にバッファされている。バッファ充填度は、できる限り符号化歪がマスクされるように量子化を制御するのに使用される。あるオーディオフレームが第１段階で処理されたが更なる段階はまだ処理されていない時点で符号化パラメータが変化すると、このフレームデータは、更なる段階で変化した符号化パラメータで処理されても、利用できなくなる。
【０００４】
このような問題を避けるために、古い符号化パラメータの大きなテーブルと、新しい符号化パラメータの大きなテーブルを、符号化器で、ある時間の間、各チャネルに対して蓄積できる。ここで、テーブルの”深さ”は、符号化器内のストリーム数に依存し、そして、繰返し更新を要求する。符号化器の全ての処理段階は、両チャネルテーブルにアクセスする必要があり、どの時間にどのテーブルにアクセスするかを決定する必要がある。特に、マルチチャネル符号化器では、異なるチャネルが，異なる時間に、異なる符号化パラメータに変化する可能性があり、チャネルは異なるマイクロプロセッサに割り当てられており、この解決は簡単にエラーを引き起こす。テーブルは、以下に説明する解決方法よりも更なるメモリ容量を必要とする。
【０００５】
【発明が解決しようとする課題】
本発明の１つの目的は、符号化及び、復号パラメータが要求されるオーディオ及び、ビデオフレームデータを符号化及び、復号する方法を提供することである。
【０００６】
【課題を解決するための手段】
この目的は請求項１に記載の方法で達成される。
【０００７】
本発明の更なる目的は、発明の方法を利用する装置を提供することである。この目的は、請求項５に記載の方法で達成される。本発明では、中間的に蓄積される一般パラメータテーブルは使用されない。代わりに、特定の処理経路で要求される符号化パラメータが、オーディオチャネルの入力ストリームに加えられ、関連するオーディオデータと結合され、そして、オーディオデータと共に様々なバッファに蓄積される。即ち対応する符号化パラメータは、符号化処理を通して、異なるデータストリームとデータ経路で、符号化されるオーディオデータと結合して保持される。好ましくは、処理経路に割り当てられた元々の符号化パラメータは、必要なワード長を最小化し及び/ 又は関連する処理段階で、簡単に評価できるようにするために、異なるフォーマットに変換される。それにより、各データストリームは、新しいパラメータで新しいデータストリームの符号化の開始前に、古いデータストリームの符号化の終了を待たずに、また、リセット及び、新しいパラメータのロードを待たずに、正しいパラメータの組で処理できる。
【０００８】
本発明は、処理段階が逆のオーディオ又は、ビデオ復号器でも使用できる。
【０００９】
原理的には、本発明の方法は、符号化パラメータが要求されるオーディオ又はビデオフレームデータを符号化するのに適する方法であって、要求される符号化パラメータは、処理の入力において、符号化されるべき前記オーディオ又はビデオデータのフレームと連結され、且つ、符号化処理の異なる段階を通して連結され、そして、これらの段階の各々の中で、処理されるべき現在のフレームデータと連結した対応する符号化パラメータは、どのフレームに対しても符号化パラメータの切り換えを許すために、注目され、それによって、リセット無しに無効な出力データの符号化を避ける、或は、
復号パラメータが要求されるオーディオ又はビデオフレームデータを復号するのに適した方法であって、要求される復号パラメータは、処理の入力において、復号されるべき前記オーディオ又はビデオデータのフレームと連結され、且つ、復号処理の異なる段階を通して連結され、そして、これらの段階の各々の中で、処理されるべき現在のフレームデータと連結した対応する復号パラメータは、どのフレームに対しても復号パラメータの切り換えを許すために、注目され、それによって、リセット無しに無効な出力データの復号を避ける。
【００１０】
本発明の方法の優位性のある更なる実施例は、それぞれの独立請求項に記載されている。
【００１１】
原理的には、本発明の装置は、符号化パラメータが要求されるオーディオ又はビデオフレームデータを符号化するのに適した装置であって、
−装置の入力付近に配置され、要求される符号化パラメータを前記オーディオ又はビデオデータのフレームと連結する手段と、
−入力にバッファ手段が割り当てられ、時間領域サンプルを周波数領域係数へ変換する手段と、
−入力にバッファ手段が割り当てられ、前記時間領域サンプルからマスキング特性を計算する手段と、
−入力にバッファ手段が割り当てられ、前記マスキング計算手段の出力の制御の下に、係数のビット割り当てと量子化を行う手段とを有し、
前記変換する手段、前記マスキング手段、及び、前記ビット割り当て及び量子化手段では、処理されるべき現在のフレームデータに連結した対応する符号化パラメータは、どのフレームに対しても符号化パラメータの切り換えを許すために、注目され、それによって、リセット無しに無効な出力データの符号化を避ける。
【００１２】
本発明の方法の優位性のある更なる実施例は、それぞれの独立請求項に記載されている。
【００１３】
【発明の実施の形態】
図１のオーディオ符号化器は、４つのステレオＰＣＭ入力信号ＰＣＭＡ，ＰＣＭＢ，ＰＣＭＣ及び、ＰＣＭＤを受ける。例えば、ＭＰＥＧオーディオデータはフレーム基準であり、各フレームはモノ又は、ステレオの１１５２サンプルを含む。図１の符号化オぺレーティングシステムは、４つのＭＰＥＧチャネルを符号化するために、６つのＤＳＰ（ディジタル信号処理器、図示していない）を含んでも良い。これらのＤＳＰは、ソフトウェア符号化器を構成し、図１に示す技術的な機能を有する。ＤＳＰの好ましい形式は、例えば、アナログデバイス社のＡＤＳＰ２１０６０又は、２１０６１又は、２１０６２である。代わりとして、図１に示す技術的な機能は、ハードウェアで実現されることもできる。
【００１４】
６つのＤＳＰ上で動作するソフトウェアの又は、対応するハードウェアの同期は、ＦＩＦＯバッファを使用して達成され、ここで、各バッファは１つ又はそれ以上の特定のフレームに割り当てられる。これは、ある時間に、現在のフレームと前のフレームが、フレーム数は有効なバッファの量に依存するが、処理段階に存在することを意味する。
【００１５】
全体的なパラメータ切り換えは、まだ前のパラメータの組により処理されるべきデータを有するそのようなバッファに、新しいパラメータを割り当てる。これにより、そのようなバッファの内容は使用できなくなる。しかし、本発明では、符号化モード（モノ、ステレオ、デュアル、結合ステレオ）、サンプルレート及び、データレート等の様々な符号化パラメータを、動作中にリセット無しに、無効な符号化器出力を生じること無しに、変化することができる。
【００１６】
ある段階の間に、非同期書きこみ及び、読み出し動作が可能な非同期バッファＡＳＢＵＦが挿入される。他の段階の間では、同期バッファＢＵＦで充分である。
【００１７】
ＰＣＭ入力信号ＰＣＭＡ，ＰＣＭＢ，ＰＣＭＣ及び、ＰＣＭＤは、非同期バッファを介して、それぞれの変換器ＣＯＮＡ，ＣＯＮＢ，ＣＯＮＣ，ＣＯＮＤへ送られる。そのような変換器では、符号化されるべきオーディオサンプルの整数から浮動小数点表現への変換が起こる。符号化器は、整数表現のオーディオサンプルを処理することも可能である。そのような変換器では、例えば、フレームの全サンプルのエネルギー又は、フレームのサンプルの平均エネルギー等の、フレーム内の１つ又はそれ以上種類のエネルギーレベルが計算され得る。これらのエネルギー値は、続く心理聴覚処理で使用され得る。
【００１８】
更に、そのような変換器では、可能な適応された符号化パラメータが、フレームオーディオデータに連結される。パラメータ符号化器ＰＥＮＣＡ、ＰＥＮＣＢ、ＰＥＮＣＣ及び、ＰＥＮＣＤに関わらず、元々の符号化パラメータは、上述のように変換され、そして、ＣＯＮＡ、ＣＯＮＢ、ＣＯＮＣ及び、ＣＯＮＤへそれぞれ送られる。ＭＰＥＧ復号器では、伝送されたデータストリームの中の復号パラメータは、各データフレームに（再）連結される前に、復号器中で、ハードウェア又は、ソフトウェア要求に従って、対応して適用される。
【００１９】
非同期バッファを介して、ＣＯＮＡ、ＣＯＮＢ、ＣＯＮＣ及び、ＣＯＮＤの出力データは、平行して、サブバンドフィルタＳＵＢＡ、ＳＵＢＢ、ＳＵＢＣ及び、ＳＵＢＤ及び、第１の左及び右チャネルの心理聴覚計算器Ｐｓｙｃｈｏ１Ａ＿Ｌ，Ｐｓｙｃｈｏ１Ａ＿Ｒ，Ｐｓｙｃｈｏ１Ｂ＿Ｌ，Ｐｓｙｃｈｏ１Ｂ＿Ｒ，Ｐｓｙｃｈｏ１Ｃ＿Ｌ，Ｐｓｙｃｈｏ１Ｃ＿Ｒ，Ｐｓｙｃｈｏ１Ｄ＿Ｌ，Ｐｓｙｃｈｏ１Ｄ＿Ｒへそれぞれ送られる。サブバンドフィルタは、ＦＦＴを使用して、全オーディオスペクトルを周波数バンドへ分割し、また、周波数バンド又は、サブバンド内の係数の最大値又は、スケールファクタを計算する。周波数バンド内では、正規化が行われる。サブバンドフィルタは、対応するアップストリーム非同期バッファから読まれた符号化パラメータを考慮する。
【００２０】
第１の心理聴覚計算器は、例えば、１０２４サンプルの長さを有するＦＦＴを行い、現在のマスキング情報を決定する。各第１の心理聴覚計算器には、第２の心理聴覚計算器Ｐｓｙｃｈｏ２Ａ＿Ｌ，Ｐｓｙｃｈｏ２Ａ＿Ｒ，Ｐｓｙｃｈｏ２Ｂ＿Ｌ，Ｐｓｙｃｈｏ２Ｂ＿Ｒ，Ｐｓｙｃｈｏ２Ｃ＿Ｌ，Ｐｓｙｃｈｏ２Ｃ＿Ｒ，Ｐｓｙｃｈｏ２Ｄ＿Ｌ，Ｐｓｙｃｈｏ２Ｄ＿Ｒがそれぞれ続き、前にサブバンドフィルタで計算された最大値又は、スケールファクタ値を推定する。第１及び、第２の心理聴覚計算器は、対応するアップストリーム非同期バッファから読まれた符号化パラメータを考慮する。
【００２１】
Ｐｓｙｃｈｏ２Ａ＿Ｌ，Ｐｓｙｃｈｏ２Ａ＿Ｒ，Ｐｓｙｃｈｏ２Ｂ＿Ｌ，Ｐｓｙｃｈｏ２Ｂ＿Ｒ，Ｐｓｙｃｈｏ２Ｃ＿Ｌ，Ｐｓｙｃｈｏ２Ｃ＿Ｒ，Ｐｓｙｃｈｏ２Ｄ＿Ｌ，Ｐｓｙｃｈｏ２Ｄ＿Ｒの出力信号は、バッファを介して関連するサブバンドフィルタから来る、割り当てられたビット数及びオーディオデータ係数の量子化ビット数を決定するために、ビット割り当て器及び量子化器Ｂａｌ／Ｑ／Ｅ＿Ａ，Ｂａｌ／Ｑ／Ｅ＿Ｂ，Ｂａｌ／Ｑ／Ｅ＿Ｃ及び、Ｂａｌ／Ｑ／Ｅ＿Ｄでそれぞれ使用される。第１の心理聴覚計算器で計算されているものを、更に、第２の心理聴覚計算器で計算することも可能であり、それにより第１の心理聴覚計算器を省略できる。
【００２２】
最後に、Ｂａｌ／Ｑ／Ｅ＿Ａ，Ｂａｌ／Ｑ／Ｅ＿Ｂ，Ｂａｌ／Ｑ／Ｅ＿Ｃ及び、Ｂａｌ／Ｑ／Ｅ＿Ｄの出力は、非同期バッファを通過し、それぞれ、出力インターフェースＡＥＳ−ＥＢＵ＿Ａ、ＡＥＳ−ＥＢＵ＿Ｂ、ＡＥＳ−ＥＢＵ＿Ｃ及び、ＡＥＳ−ＥＢＵ＿Ｄへ送られ、符号化出力信号ＰＣＭ＿Ｏｕｔ＿Ａ、ＰＣＭ＿Ｏｕｔ＿Ｂ、ＰＣＭ＿Ｏｕｔ＿Ｃ及び、ＰＣＭ＿Ｏｕｔ＿Ｄから出力される。
図２は、１フレームのオーディオサンプル又は、オーディオ係数ＣＯＥを有するデータフィールドを示す。これらのサンプル又は、係数に対して、符号化又は、復号パラメータＰＡＲは連結又は、割り当てられる。ＰＡＲは、瞬時モード情報（モノ、ステレオ、デュアル、結合ステレオ）、サンプルレート及び、データレート情報、データフィールドの長さ、ＭＰＥＧレイヤの形式を有する。アドレスポインタＰＯＩはパラメータデータＰＡＲの先頭を示す。
【００２３】
図３では、メモリと共に、マイクロプロセッサ又は、ＤＳＰμＰを示す。メモリには、あるデータフィールドＡからＦが示されている。これは図２に示すデータフィールドに対応する。例えば、データフィールドＡ，Ｂ及び、Ｃは、図１の１つのデータ経路の３つの連続するオーディオフレームに対応する。データフィールドＡは、データフィールドＢとＣと異なる他の符号化パラメータＰＡＲを有する。データフィールドＢの先頭のアドレスは、ＰＯＩにデータフィールドＡの長さを加算することで計算できる。
【００２４】
μＰで動作するソフトウェアは、図２に従ったデータフィールドを構成するために、以下の例のＣ言語の命令を使用できる。
0004472084.tif 000002
本発明は、オーディオ又は、ビデオデータ符号化及び復号に関する例えば、ＭＰＥＧ１、２及び、４オーディオ符号化及び、ＭＰＥＧレイヤ１，２又は、３の復号、ディジタルビデオ放送ＤＶＢ、ＡＣ−３、ＭＤ及び、ＡＡＣ処理、ＤＶＤ処理及び、インターネット応用で使用できる。
【００２５】
【発明の効果】
本発明により、符号化及び、復号パラメータが要求されるオーディオ及び、ビデオフレームデータを符号化及び、復号する方法を提供することができる。
【図面の簡単な説明】
【図１】４チャネルオーディオ符号化器の機能的なブロック図である。
【図２】符号化されるオーディオデータと関連する符号化パラメータを有する連結したデータフィールドを示す図である。
【図３】連結したデータフィールド有するメモリを伴うマイクロプロセッサを示す図である。
【符号の説明】
ＰＣＭＡ，ＰＣＭＢ，ＰＣＭＣ，ＰＣＭＤ  ステレオＰＣＭ入力信号
ＣＯＮＡ，ＣＯＮＢ，ＣＯＮＣ，ＣＯＮＤ  変換器
ＰＥＮＣＡ、ＰＥＮＣＢ、ＰＥＮＣＣ、ＰＥＮＣＤ  パラメータ符号化器
ＳＵＢＡ、ＳＵＢＢ、ＳＵＢＣ、ＳＵＢＤ  サブバンドフィルタ
Ｐｓｙｃｈｏ１Ａ＿Ｌ，Ｐｓｙｃｈｏ１Ａ＿Ｒ  第１心理聴覚計算器
Ｐｓｙｃｈｏ１Ｂ＿Ｌ，Ｐｓｙｃｈｏ１Ｂ＿Ｒ  第１心理聴覚計算器
Ｐｓｙｃｈｏ１Ｃ＿Ｌ，Ｐｓｙｃｈｏ１Ｃ＿Ｒ  第１心理聴覚計算器
Ｐｓｙｃｈｏ１Ｄ＿Ｌ，Ｐｓｙｃｈｏ１Ｄ＿Ｒ  第１心理聴覚計算器
Ｐｓｙｃｈｏ２Ａ＿Ｌ，Ｐｓｙｃｈｏ２Ａ＿Ｒ  第２の心理聴覚計算器
Ｐｓｙｃｈｏ２Ｂ＿Ｌ，Ｐｓｙｃｈｏ２Ｂ＿Ｒ  第２の心理聴覚計算器
Ｐｓｙｃｈｏ２Ｃ＿Ｌ，Ｐｓｙｃｈｏ２Ｃ＿Ｒ  第２の心理聴覚計算器
Ｐｓｙｃｈｏ２Ｄ＿Ｌ，Ｐｓｙｃｈｏ２Ｄ＿Ｒ  第２の心理聴覚計算器
Ｂａｌ／Ｑ／Ｅ＿Ａ，Ｂａｌ／Ｑ／Ｅ＿Ｂ，Ｂａｌ／Ｑ／Ｅ＿Ｃ及び、Ｂａｌ／Ｑ／Ｅ＿Ｄ  ビット割り当て器及び量子化器
ＡＥＳ−ＥＢＵ＿Ａ、ＡＥＳ−ＥＢＵ＿Ｂ、ＡＥＳ−ＥＢＵ＿Ｃ及び、ＡＥＳ−ＥＢＵ＿Ｄ  出力インターフェース
ＰＣＭ＿Ｏｕｔ＿Ａ、ＰＣＭ＿Ｏｕｔ＿Ｂ、ＰＣＭ＿Ｏｕｔ＿Ｃ、ＰＣＭ＿Ｏｕｔ＿Ｄ  符号化出力信号
ＣＯＥ  オーディオ係数
ＰＡＲ  符号化又は、復号パラメータ
ＰＯＩ  アドレスポインタ
【図１】
0004472084.tif 000003
【図２】
0004472084.tif 000004
【図３】
0004472084.tif 000005